(57)【特許請求の範囲】
【請求項１】
防虫性を備える合成樹脂製の管であって、
防虫成分を含有する防虫層が、管の内面側に露出するようにして管の長手方向に断続的に形成される、合成樹脂製の管。
【請求項２】
防虫成分を含有することなく管の長手方向に連続して形成される非防虫層を備え、その非防虫層の内面に、前記防虫層が設けられる、請求項１に記載の合成樹脂製の管。
【請求項３】
前記防虫層は、前記非防虫層の内面に、前記防虫成分を含有する防虫剤が塗布されてその防虫剤が硬化して被膜化されて形成される、請求項２に記載の合成樹脂製の管。
【発明の詳細な説明】
【技術分野】
【０００１】
この発明は、防虫性を備える合成樹脂製の管に関するものである。
【背景技術】
【０００２】
従来、合成樹脂製の管として、例えばエアコンのドレンホースに、虫の侵入を防ぐために、キャップとかバルブを取り付けることがあった（例えば、特許文献１、２参照）。つまり、このキャップやバルブは、ドレンホースの排出側の先端に取り付けられて、ドレン水の排出を許容しながら、虫の侵入を防止するものであった。
【先行技術文献】
【特許文献】
【０００３】
【特許文献１】特開２００７−２１２０３３号公報
【特許文献２】特開２００６−３２２６３１号公報
【発明の概要】
【発明が解決しようとする課題】
【０００４】
しかし、前記従来の虫の侵入防止方法においては、合成樹脂製の管としてのドレンホースにキャップ等を取り付けなければならず、面倒であったり、ドレンホースとは別にキャップを用意する必要があり、コストがかかっていた。
【０００５】
この発明は、上記した従来の欠点を解決するためになされたものであり、その目的とするところは、簡単かつ安価に、虫の侵入を防止することができる、合成樹脂製の管を提供することにある。
【課題を解決するための手段】
【０００６】
この発明に係る合成樹脂製の管は、前記目的を達成するために、次の構成からなる。すなわち、
請求項１に記載の発明に係る合成樹脂製の管は、防虫性を備える合成樹脂製の管であって、防虫成分を含有する防虫層が、管の内面側に露出するようにして管の長手方向に断続的に形成される。
【０００７】
この合成樹脂製の管によると、管の内面側に露出する防虫層が、管の長手方向に断続的に形成されている。こうして、管の内面側に防虫層が断続的に設けられることで、虫が、管の内面に沿って進もうとするのが防止され、しかも、使用する防虫成分の量が少なくてすむ。
【０００８】
また、請求項２に記載の発明に係る合成樹脂製の管は、請求項１に記載の合成樹脂製の管において、防虫成分を含有することなく管の長手方向に連続して形成される非防虫層を備え、その非防虫層の内面に、前記防虫層が設けられる。
【０００９】
また、請求項３に記載の発明に係る合成樹脂製の管は、請求項２に記載の合成樹脂製の管において、前記防虫層は、前記非防虫層の内面に、前記防虫成分を含有する防虫剤が塗布されてその防虫剤が硬化して被膜化されて形成される。
【発明の効果】
【００１０】
この発明に係る合成樹脂製の管によれば、管の内面側に、防虫層を、長手方向に断続的に設けることで、防虫効果を維持したまま、使用する防虫成分の量を少なくすることができ、これによって、簡単かつ安価に、虫の侵入を防止することができる。
【図面の簡単な説明】
【００１１】
【図１】この発明の第一の実施の形態の、管の断面図である。
【図２】この発明の第二の実施の形態の、管の断面図である。
【発明を実施するための形態】
【００１２】
以下、この発明に係る合成樹脂製の管を実施するための形態を図面に基づいて説明する。
【００１３】
図１は、本発明の第一の実施の形態を示す。図中符号１は、防虫性を備える合成樹脂製の管を示す。
【００１４】
この管１は、例えば、配線・配管材（配線材または配管材）を収容保護する管であって、地中に埋設されたり、コンクリート構造物内に埋設されたり、あるいは露出して配設されたりする。ここで、管１は、防虫成分を含有する防虫層２が、管１の内面側に露出するようにして管１の長手方向に断続的に形成される。
【００１５】
詳細には、管１は、防虫成分を含有することなく管１の長手方向に連続して形成される非防虫層３を備え、その非防虫層３の内面に、前記防虫層２が設けられる。
【００１６】
具体的には、管１は、可撓性を備える波付管からなる。そして、管１は、基本的には、全長が非防虫層３からなるが、部分的に、防虫層２が加わった二層構造を有する。
【００１７】
非防虫層３は、例えば、塩化ビニル樹脂とかポリエチレン樹脂とかナイロン樹脂等の合成樹脂材料によって形成される。
【００１８】
防虫層２は、非防虫層３の内面に、防虫成分を含有する防虫剤が塗布されてその防虫剤が硬化して被膜化されて形成される。この防虫剤は、例えば合成樹脂等に防虫成分を混合したもの、詳細には、バインダー樹脂と揮発性溶剤と防虫成分とを含むものであって、塗布後に、揮発性溶剤が揮発することで、防虫剤は、硬化して被膜化される。より詳細には、非防虫層３を、ブロー成形によって形成し、そのブロー成形時に、防虫剤を内部に噴出することにより、その防虫剤を非防虫層３の内面に塗布して、防虫層２を形成する。
【００１９】
ここで、防虫成分は、例えばゴキブリとかムカデとかその他の虫を防ぐための防虫成分であって、例えば、ゴキブリに対する防虫効果が高いピレスロイド系化合物であったり、有機リン剤、カーバメート剤、ホウ素化合物、フッ素化合物であったり、白蟻の食害を防ぐためのクロチアニジン等のネオニコチノイド系化合物であったりする。
【００２０】
次に、以上の構成からなる合成樹脂製の管１の作用効果について説明する。この合成樹脂製の管１によると、管１の内面側に露出する防虫層２が、管１の長手方向に断続的に形成されている。こうして、管１の内面側に防虫層２が断続的に設けられることで、虫が、管１の内面に沿って進もうとするのが防止され、しかも、使用する防虫成分の量が少なくてすむ。すなわち、管１の内面側に、防虫層２を、長手方向に断続的に設けることで、防虫効果を維持したまま、使用する防虫成分の量を少なくすることができ、これによって、簡単かつ安価に、虫の侵入を防止することができる。
【００２１】
図２は、本発明の第二の実施の形態を示す。この実施の形態は、第一の実施の形態とは、防虫層２および非防虫層３に代えて、それとは構成の異なる防虫層１２および非防虫層１３が用いられ、さらに、外層１４が付加される点が異なるが、他は同様である。
【００２２】
この合成樹脂製の管１１は、防虫成分を含有する防虫層１２と、防虫成分を含有しない非防虫層１３とが、管１１の内面側に露出するようにして管１１の長手方向に交互に形成される。これにより、防虫層１２が、管１１の内面側に露出するようにして管１１の長手方向に断続的に形成される。そして、図示実施の形態においては、これら防虫層１２および非防虫層１３の外側に、外層１４が設けられる。
【００２３】
具体的には、防虫層１２および非防虫層１３は、例えば、塩化ビニル樹脂とかポリエチレン樹脂とかナイロン樹脂等の合成樹脂材料によって形成される。そして、防虫層１２は、防虫成分（詳しくは、マイクロカプセルに封入された防虫成分）が、ベースとなる合成樹脂材料とともに混練されて成形される。
【００２４】
また、外層１４は、例えばカプサイシン類からなる防鼠成分を含有する。詳細には、外層１４は、防鼠成分（詳しくは、マイクロカプセルに封入された防鼠成分）が、ベースとなる塩化ビニル樹脂とかポリエチレン樹脂とかナイロン樹脂等の合成樹脂材料とともに混練されて成形される。
【００２５】
以上の構成により、この合成樹脂製の管１１は、管１１の内面側に露出する防虫層１２が、管１１の長手方向に断続的に形成され、これにより、この管１１は、第一の実施の形態に示す合成樹脂製の管１と同様の作用効果を有する。
【００２６】
なお、本発明は、上述した実施の形態に限定されるわけではなく、その他種々の変更が可能である。例えば、管１、１１は、配線・配管材を収容保護する管でなくとも、エアコン用のドレンホース等であってもよい。
【００２７】
また、管１、１１は、波付管からなるが、この波付管は、その波を構成する凹部および凸部が、リング状に形成される以外に、螺旋状に形成されてもよい。また、この管１、１１は、波付管でなくても、平滑管であってもよく、また、この管１、１１は、可撓性を備える管（可撓管）でなくとも、硬質管であってもよい。
【００２８】
また、第一の実施の形態において、防虫層２は、非防虫層３の内面に、防虫成分を含有する防虫剤が塗布されてその防虫剤が硬化して被膜化されて形成されるが、この防虫層２は、防虫成分が、ベースとなる塩化ビニル樹脂とかポリエチレン樹脂とかナイロン樹脂等の合成樹脂材料とともに混練されて成形されてもよい。
【００２９】
また、第二の実施の形態において、管１１の外層１４は、防鼠成分を含有するが、この防鼠成分を含有しなくともよい。また、この外層１４は、無くともよい。
【００３０】
また、防虫層２、１２が含有する防虫成分は、隣り合う防虫層で、同じ防虫成分である必要はなく、異なる防虫成分であってもよい。
【符号の説明】
【００３１】
１  管
２  防虫層
３  非防虫層
１１  管
１２  防虫層
１３  非防虫層
【図１】
0006444275.tif 000002
【図２】
0006444275.tif 000003